(57)【要約】軍用品コアと、軍用品コアの外部表面に付着され、ターゲットと軍用品の衝突の際に前記軍用品コアから解放するよう設計された複数の粒子とを含むことを特徴とする軍用品。
2008522126.tif 000002
【特許請求の範囲】
【請求項１】
軍用品コアと、
前記軍用品コアの外部表面に付着され、ターゲットと軍用品の衝突の際に前記軍用品コアから解放するよう設計された複数の粒子と
を含むことを特徴とする軍用品。
【請求項２】
前記軍用品コアは高密度な材料から作られていることを特徴とする請求項１に記載の軍用品。
【請求項３】
前記高密度な材料はタングステンカーバイド組成であることを特徴とする請求項２に記載の軍用品。
【請求項４】
前記粒子は脆性材料から作られていることを特徴とする請求項１に記載の軍用品。
【請求項５】
前記脆性材料はガラスであることを特徴とする請求項４に記載の軍用品。
【請求項６】
前記粒子は接着剤で前記軍用品コアに付着されていることを特徴とする請求項１に記載の軍用品。
【請求項７】
前記粒子はサイズに関してミクロ粒子であることを特徴とする請求項１に記載の軍用品。
【請求項８】
軍用品コアと、
前記軍用品コアの外部表面に接着剤によって付着され、ターゲットと軍用品の衝突の際に前記軍用品コアから解放するよう設計された複数のミクロ粒子と
を有することを特徴とする軍用品。
【請求項９】
高密度な材料から作られている軍用品コアと、
接着剤を用いて前記軍用品コアの外部表面に接着され、ターゲットと軍用品の衝突の際に前記軍用品コアから解放するよう設計された複数の脆性材料から作られているミクロサイズ粒子と
を有することを特徴とする軍用品。
【発明の詳細な説明】
【技術分野】
【０００１】
本発明は新規な軍用品に関する。
【背景技術】
【０００２】
軍用品は、ライフル銃のような兵器から発砲されるか発射装置や空母ミサイルから発射されるかにかかわらず、あるいは、弾頭の形式であるか他の発射体かにかかわらず、よく知られており、分裂軍用品を含む。すべてこの参考文献としてここに組み入れられている、例えば、特許文献１、特許文献２、特許文献３、特許文献４、特許文献５、特許文献６、特許文献７と、特許文献８および特許文献９を参照されたい。
【０００３】
通常、爆発物は軍用品ケースのコア（芯）に収容される。爆発物が爆発させられる時、それはケースを崩壊させて、ターゲット（目標物）に衝突を与えるよう設計された断片となる。
【０００４】
他の軍用品設計は特許文献１０、特許文献１１と、さらに特許文献１２に開示されている。
【０００５】
しかしながら、これらの従来技術の設計の大部分は、設計においてかなり複雑であって、生産するのに費用がかかり、多くが従来の兵器から配備することができない。さらに、爆薬を含めた軍用品は、意図されない巻き添え被害を周囲の構造物および／またはターゲットにもたらしうる。
【特許文献１】米国特許第４,０８９,２６７号明細書
【特許文献２】米国特許第４,６４８,３２３号明細書
【特許文献３】米国特許第４,９４２,８２０号明細書
【特許文献４】米国特許第５,２４３,９１６号明細書
【特許文献５】米国特許第５,７６３,８１９号明細書
【特許文献６】米国特許第６,２３０,６３０号明細書
【特許文献７】米国特許第６,６１９,２１０号明細書
【特許文献８】米国特許出願公開第２００４／００６９１７６Ａ１号明細書
【特許文献９】米国特許出願公開第２００４／０１２９１６２号明細書
【特許文献１０】米国特許第６,７８９,４８４号明細書
【特許文献１１】米国特許第６,６７２,２２０号明細書
【特許文献１２】米国特許出願公開第２００２／０１６６４７５号明細書
【発明の開示】
【発明が解決しようとする課題】
【０００６】
従って、本発明の目的は、増加した致死性を有するが設計上より複雑さの少ない軍用品を提供することである。
【０００７】
本発明のさらなる目的は、設計上の用途の広い軍用品を提供することである。
【０００８】
本発明のさらなる目的は、生産するのに費用のかからない軍用品を提供することである。
【０００９】
本発明のさらなる目的は、意図されない巻き添え被害を回避する軍用品を提供することである。
【課題を解決するための手段】
【００１０】
本発明は、ターゲットとの衝突の際に軍用品コアから吐き出される多くの粒子を、軍用品コアの外部表面に付着することによって、増加した致死性を有する一層単純な軍用品を達成する、ということの実現からもたらされる。
【００１１】
しかしながら本発明は、他の実施の態様においては、これらすべての目的を達成する必要はなく、ここでの請求項はこれらの目的を達成することができる構成または方法に限定すべきではない。
【００１２】
本発明は、軍用品コアと、前記軍用品コアの外部表面に付着され、ターゲットと軍用品の衝突の際に前記軍用品コアから解放するよう設計された複数の粒子とを含むことを特徴とする。１つの例では、軍用品コアは、タングステンカーバイド組成のような高密度な材料から作られている。粒子はガラスのような脆性材料から作られうる。通常、上記粒子は接着剤で前記軍用品コアに付着されている。好ましくは、サイズに関してミクロ粒子である。
【発明を実施するための最良の形態】
【００１３】
他の目的、特徴、および利点は、以下の望ましい実施形態の説明と添付の図面から、当業者に認識されるであろう。
【００１４】
以下に開示された望ましい実施形態はさておき、本発明は他の実施形態が可能で、または様々の方法で実践され遂行できる。従って、本発明は、以下の説明で開示し、または図面に示した部材の構成および配置の詳細をその用途において制限するものではない、ということを理解すべきである。１つの実施形態のみをここで説明していても、ここでの請求項はその実施形態に制限されるべきではない。さらに、ここでの請求項は、排他、制限、免責を明示する明確かつ説得力のある証拠がないならば、限定的なものとして読むべきではない。
【００１５】
本発明による図１の小さな粒子１０は、図２の軍用品コア１２の外部表面に接着剤で付けられるか、あるいは別な方法で付着され、図３の新規な軍用品１４となる。粒子１０は、例えば直径が４００ミクロンの大きさのミクロ粒子であり、軍用品コア１２は直径が１．２５インチでありうる。しかし、軍用品コア１２は様々の大きさが可能で球形の形態、または他の何らかの形態が可能である。同じことが粒子１０についても当てはまり、それらは球形の形態が可能でありうるが、それらもやはり他の形態またはランダムな形態または薄片でさえでありうる。
【００１６】
本発明によれば、衝突の際に粒子濃度を強化するために、コアはより小さくて多くの粒子を搭載する。より小さな運動量の粒子１０は通常、コア１２上にエポキシ樹脂接着されて、コアのターゲットとの衝突の際に破砕する。より小さな粒子が貫通し穴を供給するための全体的な質量をコアが有するので、このような軍用品は軟らかいターゲットに使うことができる。次により小さな粒子は、コアから解放される際に高密度なスプレーパターンを作る。
【００１７】
図４Ａにおいて軍用品１４は、推進して経路Ｐに沿ってターゲット１６に衝突するように示されている。軍用品１４が図４Ｂのようにターゲット１６に衝突する時、図４Ｃに示すように軍用品コア１２から粒子１０が砕け、そして図４Ｄに示すように、入口開口よりも一般に大きな出口開口を作る。
【００１８】
本発明の軍用品は、ターゲット１６に対する内部の物または構造を破壊するのにも使うることができるが、軍用品１４の図４Ａのような真直ぐな経路Ｐに必ずしも直接的に使われるのではない。軍用品が爆薬を含むケースで発生する可能性のある意図されない巻き添え被害は、本発明によれば最小である。例えば、軍用品コアは、タングステンカーバイド組成のような高密度な材料から作られ得るし、粒子はガラスのようなより脆性のある材料から作られている。エポキシのような接着剤は、軍用品コアに粒子を付着するために使うことができる。粒子または軍用品の最終的な選択は殺傷の要求によって決定される。その要求事項は、ターゲット厚さ、衝突速度、およびターゲットの脆弱性に基づく。
【００１９】
一実施形態において、図２及び図３の軍用品コア１２は、直径０．１５インチのタングステンカーバイド組成であった。粒子１０は、エポキシでコア１２に付着されたそれぞれ４００ミクロン大きさの、５００〜１，０００個のガラス球で構成した。コア１２がターゲットに衝突する時に発生する衝突波Ｓは、粒子１０をコア１２から吐き出させて、図４Ｃ〜図４Ｄに示すスプレーパターンを形成する。
【００２０】
図３の軍用品１４は伝統的な兵器によって配備でき、示されたタイプの多数の軍用品は、この参考文献としてここに組み入れられている、例えば特許文献９、および／または、米国特許出願第０９／９３８，０２２号明細書において説明されたように配備されたシェル、外殻、または他のハウジングによって共にパッケージすることができる。
【００２１】
しかしながら、コアの大きさ、形状、および組成と、さらに粒子の大きさ、形状、数、および組成は、特定の実装、配備方法、要求される致死性、および貫通するターゲットのタイプに応じて変化するであろう。その結果、増加した致死性を有する軍用品設計が簡単になる。
【００２２】
本発明の特定の特徴を、他のものではない、いくつかの図面で示しているが、それぞれの特徴が本発明による他の特徴のいくつか、またはすべてと組み合わせることができるので、これは便利さのみのためである。ここに使われている「含む」、「有する」、「持つ」、および「備える」と言う用語は広く、また包括的に解釈されるはずであり、物理的な相互連結に限定されない。さらに、本願で開示されたいくつかの実施形態は唯一可能な実施形態であると解釈すべきではない。他の実施形態が当技術分野の当業者によって認識されるであろうし、それらは添付の請求項の範囲内にある。
【００２３】
さらに、本特許のための特許出願の遂行の間に提出される何らかの補正は、提出される出願において与えられる何らかの請求項の事項の限定修正ではない。つまり、当技術分野の当業者はすべての可能な均等物を文言通りに包含することになる請求項を立案することを合理的に期待できないし、多くの均等物が補正の時点で予知できず、かつそれらは放棄すべきもの（もしあるならば）の公正な解釈を越えているだろうし、補正の基礎となる理論的根拠が多くの均等物に対するあまり関係のないものを持つだけかも知れないし、および／または、補正された何らかの請求項の事項に対するある特定の実体のない置き換えについて出願人の説明を期待できない多くの他の理由が存在するであろう。
【図面の簡単な説明】
【００２４】
【図１】本発明の軍用品に関連する粒子を示す図式的な概念図である。
【図２】本発明による軍用品コアの一実施形態の図式的な概念図である。
【図３】本発明による、図２の軍用品コアに付着させた図１の粒子を示す図式的な立体図である。
【図４Ａ】図３に示す軍用品の配備およびターゲットを示す図式的な側面図である。
【図４Ｂ】図３に示す軍用品の配備およびターゲットを示す図式的な側面図である。
【図４Ｃ】図３に示す軍用品の配備およびターゲットを示す図式的な側面図である。
【図４Ｄ】図３に示す軍用品の配備およびターゲットを示す図式的な側面図である。
【符号の説明】
【００２５】
１０  粒子
１２  軍用品コア
１４  軍用品
１６  ターゲット
Ｐ  経路
Ｓ  衝突波
【図１】
2008522126.tif 000003
【図２】
2008522126.tif 000004
【図３】
2008522126.tif 000005
【図４Ａ】
2008522126.tif 000006
【図４Ｂ】
2008522126.tif 000007
【図４Ｃ】
2008522126.tif 000008
【図４Ｄ】
2008522126.tif 000009